(57)【要約】【課題】基地局装置及び故障カード特定方法に関し、基地局装置に実装されたカードの間欠的な故障を精度よく検出し、故障カードを特定する。【解決手段】呼処理制御カード１０１及びベースバンド処理カード１１，２１を含むカードを搭載した基地局装置において、ベースバンド処理カード１１，２１と呼処理制御カード１０１との間の装置内信号の伝送経路に対応してベースバンド処理カード１１，２１をグループ化する。ベースバンド処理カード１１，２１から、呼処理制御カード１０１へ送信された装置内信号の異常を、呼処理制御カード１０１で監視し、異常が検出された装置内信号を送信したベースバンド処理カード１１，２１のグループ毎の枚数及び実装位置情報を基に、装置内信号の伝送経路上のカードの故障位置を判定する。【選択図】図１
2010213074.tif 000002
【特許請求の範囲】
【請求項１】
呼処理制御カード及びベースバンド処理カードを含むカードを搭載した基地局装置において、
前記ベースバンド処理カードから前記呼処理制御カードへ送信される装置内信号の異常を、前記呼処理制御カードで監視する監視手段と、
前記監視手段で異常が検出された前記装置内信号を送信したベースバンド処理カードを故障と判定する判定手段と、
を備えたことを特徴とする基地局装置。
【請求項２】
呼処理制御カード及びベースバンド処理カードを含むカードを搭載した基地局装置において、
前記ベースバンド処理カードと前記呼処理制御カードとの間の装置内信号の伝送経路に対応してグループ化した前記ベースバンド処理カードから、前記呼処理制御カードへ送信された装置内信号の異常を、前記呼処理制御カードで監視する監視手段と、
前記監視手段で異常が検出された前記装置内信号を送信したベースバンド処理カードのグループ毎の枚数及び実装位置情報を基に、前記装置内信号の伝送経路上のカードの故障位置を判定する判定手段と、
を備えたことを特徴とする基地局装置。
【請求項３】
呼処理制御カード及びベースバンド処理カードを含むカードを搭載した基地局装置の故障カード特定方法であって、
前記ベースバンド処理カードから前記呼処理制御カードへ送信された装置内信号の異常を、前記呼処理制御カードで監視する第１の過程と、
前記第１の過程で異常が検出された前記装置内信号を送信したベースバンド処理カードを故障と判定する第２の過程と、
を含むことを特徴とする故障カード特定方法。
【請求項４】
呼処理制御カード及びベースバンド処理カードを含むカードを搭載した基地局装置の故障カード特定方法であって、
前記ベースバンド処理カードと前記呼処理制御カードとの間の装置内信号の伝送経路に対応してグループ化した前記ベースバンド処理カードから、前記呼処理制御カードへ送信された装置内信号の異常を、前記呼処理制御カードで監視する第１の過程と、
前記第１の過程で異常が検出された前記装置内信号を送信したベースバンド処理カードのグループ毎の枚数及び実装位置情報を基に、前記装置内信号の伝送経路上のカードの故障位置を判定する第２の過程と、
を含むことを特徴とする故障カード特定方法。
【請求項５】
前記第２の過程により故障位置と判定したカードに対して冗長切替を実施した後に、前記ベースバンド処理カードから前記呼処理制御カードへ送信された装置内信号の異常を、前記呼処理制御カードで再度判定し、該判定結果を基に前記装置内信号の伝送経路上のカードの故障位置を特定する第３の過程を含む請求項４に記載の故障カード特定方法。
【発明の詳細な説明】
【技術分野】
【０００１】
本発明は、基地局装置及び故障カード特定方法に関する。
【背景技術】
【０００２】
従来、呼処理制御カード及びベースバンド処理カードを含む回路基板や回路パッケージ等のカードを搭載した基地局装置において、搭載されたカード単体内で自身の故障を検出し、警報表示して装置システムから切り離す手法が知られている。
【０００３】
しかし、カード内の部品の壊れ方によっては、完全な機能停止となる故障ではなく、間欠的に不具合を発生する故障もあり、従来のカード単体のハードウェアによる故障検出では、間欠的な故障を検出することができないことがあり、顧客サービスに影響する重要障害を引き起こす場合があった。
【０００４】
また、カード単体でのハードウェア構成による検出ではなく、装置システムとして各カードの異常を定期的に検出し、被疑箇所を特定することにより、間欠的な故障による異常を検出することは可能であるが、異常検出の精度が悪く、故障箇所を誤検出する場合があり、また、保守作業や障害の復旧に長時間が掛かる場合があった。
【０００５】
また、複数の基板（電子モジュール）を、バックボードを介して構成している電子機器において、各スロット間での伝送データにＣＲＣチェックのような誤り訂正を施し、周辺基板でＣＲＣコードにエラーが出た場合に、主制御基板で周辺基板の異常が有ることを検知し、外部表示装置に表示する技術が知られている（例えば下記の特許文献１等）。
【先行技術文献】
【特許文献】
【０００６】
【特許文献１】特開２００４−２０１１１０号公報
【発明の概要】
【発明が解決しようとする課題】
【０００７】
本発明の１側面では、基地局装置に実装されたカードの間欠的な故障を精度よく検出することを目的とする。
【課題を解決するための手段】
【０００８】
上記課題を解決する第１の形態は、呼処理制御カード及びベースバンド処理カードを含むカードを搭載した基地局装置において、前記ベースバンド処理カードから前記呼処理制御カードへ送信される装置内信号の異常を、前記呼処理制御カードで監視する監視手段と、前記監視手段で異常が検出された前記装置内信号を送信したベースバンド処理カードを故障と判定する判定手段と、を備えたものである。
【０００９】
また、第２の形態は、呼処理制御カード及びベースバンド処理カードを含むカードを搭載した基地局装置において、前記ベースバンド処理カードと前記呼処理制御カードとの間の装置内信号の伝送経路に対応してグループ化した前記ベースバンド処理カードから、前記呼処理制御カードへ送信された装置内信号の異常を、前記呼処理制御カードで監視する監視手段と、前記監視手段で異常が検出された前記装置内信号を送信したベースバンド処理カードのグループ毎の枚数及び実装位置情報を基に、前記装置内信号の伝送経路上のカードの故障位置を判定する判定手段と、を備えたものである。
【００１０】
また、第３の形態は、呼処理制御カード及びベースバンド処理カードを含むカードを搭載した基地局装置の故障カード特定方法であって、前記ベースバンド処理カードから前記呼処理制御カードへ送信された装置内信号の異常を、前記呼処理制御カードで監視する第１の過程と、前記第１の過程で異常が検出された前記装置内信号を送信したベースバンド処理カードを故障と判定する第２の過程と、を含むものである。
【００１１】
また、第４の形態は、呼処理制御カード及びベースバンド処理カードを含むカードを搭載した基地局装置の故障カード特定方法であって、前記ベースバンド処理カードと前記呼処理制御カードとの間の装置内信号の伝送経路に対応してグループ化した前記ベースバンド処理カードから、前記呼処理制御カードへ送信された装置内信号の異常を、前記呼処理制御カードで監視する第１の過程と、前記第１の過程で異常が検出された前記装置内信号を送信したベースバンド処理カードのグループ毎の枚数及び実装位置情報を基に、前記装置内信号の伝送経路上のカードの故障位置を判定する第２の過程と、を含むものである。
【発明の効果】
【００１２】
基地局装置に実装されたカードの間欠的な故障を精度よく検出することができる。また、装置内信号の品質劣化の状況に基づいた故障判定を行うことができる。ひいては、システムが提供するサービスの復旧が容易となり、サービス品質の向上に寄与することもできる。
【図面の簡単な説明】
【００１３】
【図１】基地局装置のカード構成例を示す図である。
【図２】呼処理制御カードの機能ブロックの一例を示す図である。
【図３】伝送路切替カードの機能ブロックの一例を示す図である。
【図４】信号中継カードの機能ブロックの一例を示す図である。
【図５】ベースバンド処理カードの機能ブロックの一例を示す図である。
【図６】呼処理カードの処理フローの例を示す図である。
【図７】積算数のリセットの処理フローの例を示す図である。
【図８】ベースバンド処理カードの処理フローの例を示す図である。
【図９】異常カードにおける処理の例を示す図である。
【発明を実施するための形態】
【００１４】
図１は基地局装置のカード構成例を示す。ここでは、基地局装置の一形態として、Ｗ−ＣＤＭＡ（Wideband-Code Division Multiple Access）移動通信システムにおける基地局装置を採り上げる。なお、基地局装置は、Ｗ−ＣＤＭＡ移動通信システムにおけるものに限定されるものではない。
【００１５】
当該実施形態における故障検出は、呼制御を行う制御系機能部１００、第１のベースバンド機能部１０及び第２のベースバンド機能部２０に実装されるカードの故障を検出するものである。基地局装置において呼設定制御を行う場合、制御系機能部１００内の呼処理制御カード１０１から、第１及び第２のベースバンド機能部１０，２０内のベースバンド処理カード１１（１）〜１１（１０），２１（１）〜２１（１０）に対して、制御情報を設定する。
【００１６】
制御情報の設定は、呼処理制御カード１０１から例えばＡＴＭ信号により制御情報を送信し、伝送路切替カード１０２で該制御情報の接続先をベースバンド処理カード１１，２１に切り替え、信号中継カード１２，２２を経由して該制御情報がベースバンド処理カード１１，２１に送信される。
【００１７】
ベースバンド処理カード１１，２１は、送信された制御情報を設定した後、呼処理制御カード１０１に対して設定終了を通知するため、応答信号を同一の装置内信号経路により返信する。この実施形態では、該応答信号に対して呼処理制御カード１０１でＣＲＣ（Cyclic Redundancy Check：巡回冗長検査）符号等のチェックを行い、エラーとなるベースバンド処理カード１１（１）〜１１（１０），２１（１）〜２１（１０）のカード枚数から、装置内信号経路上のカードの故障を判定する。なお、上述の装置内信号経路上のカードとして、呼処理制御カード１０１、伝送路切替カード１０２、信号中継カード１２，２２、ベースバンド処理カード１１，２１が該当する。
【００１８】
そして、監視制御カード２００は、故障と判定されたカードの現用予備切替及び警報表示を行い、異常カードを上位オペレーションシステムに通知する。更に、再度、故障判定を実施し、障害が復旧されていない場合は、他のカードの故障と判定し警報表示を行う。
【００１９】
上述の応答信号の符号チェックとして、巡回符号検査（ＣＲＣ）符号チェックやチェックサムのチェック等の種々の誤り検出手段を用いることができるが、以下では巡回符号検査（ＣＲＣ）符号のチェックを行う例について説明するが、これに限定されるものではない。
【００２０】
呼処理制御設定に対するベースバンド処理カード１１，２１からの応答信号を受信した呼処理制御カード１０１は、該応答信号に対して伝送部にて巡回符号検査（ＣＲＣ）符号チェックを行い、各ベースバンド処理カード１１，２１について、巡回符号検査（ＣＲＣ）管理テーブルの作成をソフトウェア処理により行う。
【００２１】
巡回符号検査（ＣＲＣ）管理テーブルを表１に示す。巡回符号検査（ＣＲＣ）管理テーブルは、各ベースバンド処理カード１１（１）〜１１（１０），２１（１）〜２１（１０）について、応答信号全受信数、巡回符号検査（ＣＲＣ）＿ＯＫ数、巡回符号検査（ＣＲＣ）＿ＮＧ数及び巡回符号検査（ＣＲＣ）＿ＯＫ率を格納する。
【表１】
2010213074.tif 000003
【００２２】
図２に呼処理制御カードの機能ブロックの一例を示す。呼処理制御カードは、ＭＰＵ等によって構成される呼処理制御部２−１を備え、装置内信号としてＡＴＭ信号を用いる場合、ＡＴＭ終端部２−２、ＡＴＭ送信インタフェース部２−３及びＡＴＭ受信インタフェース部２−４を備える。ＡＴＭ終端部２−２内には、巡回符号検査（ＣＲＣ）＿ＮＧ検出部２−２１を備える。また、メモリ部（例えばフラッシュメモリ）２−５を備える。
【００２３】
呼処理制御部２−１は、ＡＴＭ終端部２−２から応答信号の全受信数及び巡回符号検査（ＣＲＣ）＿ＯＫ受信数の情報を取得し、巡回符号検査（ＣＲＣ）＿ＮＧ受信数及び巡回符号検査（ＣＲＣ）＿ＯＫ率を算出する。なお、巡回符号検査（ＣＲＣ）＿ＯＫ率の算出は、応答信号全受信数に対して閾値αを設定し、応答信号全受信数が該閾値αを超えたベースバンド処理カードに対して巡回符号検査（ＣＲＣ）＿ＯＫ率の算出を行い、該閾値αを超えないベースバンド処理カードに対しては、応答信号全受信数の積算中として、巡回符号検査（ＣＲＣ）＿ＯＫ率の算出を行わない。
【００２４】
呼処理制御部２−１は、該巡回符号検査（ＣＲＣ）管理テーブルをソフトウェア処理により作成した後、メモリ部２−５に書き込む。こうすることより、保守者が遠隔から該巡回符号検査（ＣＲＣ）管理テーブルの格納情報を障害ログとして取得することが可能となる。
【００２５】
また、応答信号全受信数が前述の閾値αを超えたベースバンド処理カードに対して巡回符号検査（ＣＲＣ）＿ＯＫ率の算出を行うことにより、故障の誤検出を防止することが可能となる。また、間欠的な故障について、保守者が遠隔から管理テーブルの格納情報を参照することにより、被疑カードの切り分けを効率よく行うことが可能となる。
【００２６】
応答信号全受信数が閾値αを超えた被疑カードに対して故障判定を実施した際に、巡回符号検査（ＣＲＣ）管理テーブルの応答信号全受信数の積算値をリセットする。但し、装置再開処理の実施時は、中断していた通信サービスの要求が殺到する可能性があるため、再開処理の実施時から所定時間経過後に、巡回符号検査（ＣＲＣ）管理テーブルの全格納データをリセットした後に積算を開始する。
【００２７】
呼処理制御部２−１による各ベースバンド処理カードの状態判定は以下のように行う。呼処理制御部２−１に、正常判定閾値β及び異常判定閾値γを予め設定しておく。呼処理制御部２−１は、前述の巡回符号検査（ＣＲＣ）＿ＯＫ率を正常判定閾値β及び異常判定閾値γと比較する。
【００２８】
そして、該巡回符号検査（ＣＲＣ）＿ＯＫ率が正常判定閾値βを超えている場合は、当該ベースバンド処理カードの状態を正常と判定し、該巡回符号検査（ＣＲＣ）＿ＯＫ率が異常判定閾値γ未満の場合は、当該ベースバンド処理カードの状態を異常と判定する。
【００２９】
該巡回符号検査（ＣＲＣ）＿ＯＫ率が異常判定閾値γ以上でかつ正常判定閾値β以下の場合は、判定外とする。また、応答信号全受信数が閾値αを超えていない場合は、積算中と判定する。上述のベースバンド処理カードの状態を判定する判定表を表２に示す。
【表２】
2010213074.tif 000004
【００３０】
呼処理制御カードで判定した各ベースバンド処理カードの状態から、装置内信号経路上のカードを含む被疑故障カードを以下のように判定する。まず、各ベースバンド処理カードを呼処理制御カードに接続する装置内信号の伝送経路毎に、各ベースバンド処理カードをグループ分けする。この例では、該装置内信号の伝送経路は、伝送路切替カード１０２及び信号中継カード１２，２２を経由する伝送経路となる。
【００３１】
信号中継カード１２，２２は、第１及び第２のベースバンド機能部１０，２０対応に設けられ、上記グループ分けは、第１のベースバンド機能部１０に属するベースバンド処理カード１１（１）〜１１（１０）と、第２のベースバンド機能部２０に属するベースバンド処理カード２１（１）〜１１（１０）とに分ける。
【００３２】
更に、第１のベースバンド機能部１０に属するベースバンド処理カード１１（１）〜１１（１０）を、ベースバンド処理カード１１（１）〜１１（５）のグループと、ベースバンド処理カード１１（６）〜１１（１０）のグループ２つの単位グループに分ける。
【００３３】
また、第２のベースバンド機能部２０に属するベースバンド処理カード２１（１）〜２１（１０）を、同様に、ベースバンド処理カード２１（１）〜２１（５）のグループと、ベースバンド処理カード２１（６）〜２１（１０）グループの２つの単位グループに分ける。
【００３４】
呼処理制御カード１０１は、各単位グループ内の全ベースバンド処理カードについて、表２のカード状態判定表に従って異常状態か否かを判定し、該判定結果を基に、装置内信号経路上のカードを含む被疑故障カードを、表３に示す被疑故障カード判定論理表に従って判定する。
【表３】
2010213074.tif 000005
【００３５】
被疑故障カードの判定は、第１ベースバンド機能部及び第２のベースバンド機能部のベースバンド処理カード（１）〜（５）のグループと、ベースバンド処理カード（６）〜（１０）のグループについて、各グループ内の全てのベースバンド処理カードが正常か、全てのベースバンド処理カードが異常でない（少なくとも１つの異常カードが存在し、かつ少なくとも１つの正常カードが存在する）か、全てのベースバンド処理カードが異常であるか、を判定する。
【００３６】
表３は上述の判定結果を基に監視制御カード２００で実施する処理を示している。表３において、判定結果が項１の場合は、全てのベースバンド処理カードが正常であると判定する。項２及び項３の場合は、第２のベースバンド機能部２０の信号中継カード２２に対して警報表示の制御を行う。
【００３７】
項４の場合は、第２のベースバンド機能部２０の信号中継カード２２に対して現用予備切替え（Ｎ／Ｅ切替）制御を行い、再判定を実施する。項５の場合は、第１のベースバンド機能部１０の信号中継カード１２に対して警報表示の制御を行う。項６及び項７の場合は、第１及び第２のベースバンド機能部１０，２０の信号中継カード１２，２２に対して警報表示の制御を行う。
【００３８】
項８の場合は、第１及び第２のベースバンド機能部１０，２０の信号中継カード１２，２２に対して現用予備切替え（Ｎ／Ｅ切替）制御を行い、再判定を実施する。項９の場合は、第１のベースバンド機能部１０の信号中継カード１２に対して警報表示の制御を行う。項１０及び項１１の場合は、第１及び第２のベースバンド機能部１０，２０の信号中継カード１２，２２に対して警報表示の制御を行う。
【００３９】
項１２の場合は、項８の場合は、第１及び第２のベースバンド機能部１０，２０の信号中継カード１２，２２に対して現用予備切替え（Ｎ／Ｅ切替）制御を行い、再判定を実施する。項１３の場合は、第１のベースバンド機能部１０の信号中継カード１２に対して現用予備切替え（Ｎ／Ｅ切替）制御を行い、再判定を実施する。
【００４０】
項１４及び項１５の場合は、第１及び第２のベースバンド機能部１０，２０の信号中継カード１２，２２に対して現用予備切替え（Ｎ／Ｅ切替）制御を行い、再判定を実施する。項１６の場合は、制御系機能部１００内の伝送路切替カード１０２に対して現用予備切替え（Ｎ／Ｅ切替）制御を行い、再判定を実施する。
【００４１】
項１７の場合として、項１〜項１６以外の場合、即ち、項１の全てのグループで正常の場合以外で、各グループが全て異常ではない場合、言い換えると、少なくとも１つのグループに少なくとも１つの異常カードと少なくとも１つの正常カードが存在する場合、異常と判定されたベースバンド処理カードに対して警報表示の制御を行う。
【００４２】
判定結果が表３の項２、項３、項５〜項７、項９〜項１１、項１７の場合のように、被疑カードが１種類に特定される場合は、当該被疑カードの警報表示の制御を実施する。一方、判定結果が表３の項４、項８、項１２〜項１５、項１６の場合のように、被疑カードが２種類となる場合は、当該被疑カードの現用予備（Ｎ／Ｅ）切替制御を行い、再判定を実施する。現用予備（Ｎ／Ｅ）切替を実施した後の再判定の論理表を表４に示す。
【表４】
2010213074.tif 000006
【００４３】
表４に示すように、１回目の判定結果が表３の項４、項８、項１２〜項１５の場合、表３の処理の欄に示す処理内容を実施し、その再判定結果が同様に表３の項４、項８、項１２〜項１５となった場合、被疑カードは信号中継カードではなく、伝送路切替カードであると判定して、伝送路切替カードに対して警報表示の制御を行う。
【００４４】
また、１回目の判定結果が表３の項１６の場合、表３の処理の欄に示す処理内容を実施し、その再判定結果が同様に表３の項１６となった場合、被疑カードは伝送路切替カードではなく、呼処理制御カードであると判定して、呼処理制御カードに対して警報表示の制御を行う。
【００４５】
１回目の判定結果が表３の項４、項８、項１２〜項１６の場合で、表３の処理の欄に示すとおり、現用予備（Ｎ／Ｅ）切替制御を行い、再判定をした結果、正常と判定された場合は、切替え後の予備状態カードに対して警報表示の制御を行う。
【００４６】
なお、被疑カードに対して現用予備（Ｎ／Ｅ）切替及び警報表示の制御を実施する際は、予備系のカードが実装されているかを確認し、実装されていない場合は、何も処理を行わないＮＯＰ処理とし、システム停止を行わずに障害ログに履歴を格納する。現用予備（Ｎ／Ｅ）切替及び警報表示の制御が実施されたカードは、監視制御カードによって上位オペレーションシステムに、運用システムから切り離された旨の情報が通知される。
【００４７】
図３に伝送路切替カードの機能ブロックの一例を示す。伝送路切替カードは、装置内信号としてＡＴＭ信号を用いる場合、呼処理制御カードと接続されるＡＴＭ受信インタフェース部３−１及びＡＴＭ送信インタフェース部３−２を備える。また、第１のベースバンド機能部と接続されるＡＴＭ送信インタフェース部３−６及びＡＴＭ受信インタフェース部３−７を備える。
【００４８】
また、第２のベースバンド機能部と接続されるＡＴＭ送信インタフェース部３−８及びＡＴＭ受信インタフェース部３−９を備える。また、ＡＴＭ受信インタフェース部３−１及びＡＴＭ送信インタフェース部３−２と、ＡＴＭ送信インタフェース部３−６及びＡＴＭ受信インタフェース部３−７との間の信号経路を接続するＡＴＭスイッチ３−３，３−４を備える。また、ＡＴＭ受信インタフェース部３−１及びＡＴＭ送信インタフェース部３−２と、ＡＴＭ送信インタフェース部３−８及びＡＴＭ受信インタフェース部３−９との間の信号経路を接続するＡＴＭスイッチ３−３，３−５を備える。
【００４９】
図４に信号中継カードの機能ブロックの一例を示す。信号中継カードは、装置内信号としてＡＴＭ信号を用いる場合、伝送路切替カードと接続されるＡＴＭ受信インタフェース部４−１及びＡＴＭ送信インタフェース部４−２を備える。また、ベースバンド処理カードＢＢ１〜ＢＢ５及びＢＢ６〜ＢＢ１０と接続され、Ｕ−ＰｌａｎｅとＣ−Ｐｌａｎｅとの切り分け及び多重処理を実施する第１及び第２のＬＳＩ４−４，４−５を備える。また、ＡＴＭ受信インタフェース部４−１及びＡＴＭ送信インタフェース部４−２と、第１及び第２のＬＳＩ４−４，４−５との間の信号経路を接続するＡＴＭスイッチ４−３を備える。
【００５０】
図５にベースバンド処理カードの機能ブロックの一例を示す。ベースバンド処理カードは、装置内信号としてＡＴＭ信号を用いる場合、信号中継カードと接続されるＡＴＭ受信インタフェース部５−１、ＡＴＭ送信インタフェース部５−２及びＡＴＭ終端部５−３を備える。また、ＭＰＵ等によって構成され、ベースバンド信号の処理を制御するベースバンド制御部５−４と、各チャネル対応のベースバンド信号を処理する第１及び第２のＬＳＩ５−５，５−６を備える。
【００５１】
図６に呼処理カードの処理フローを示す。処理カードのソフトウェアが起動されると、所定時間、例えば３００秒の経過を待機させ（６−１）、全積算数をリセットし（６−２）、ベースバンド処理カードに対して制御情報の設定要求を開始し、応答信号（受信状態報告）の受信を開始する（６−３）。
【００５２】
そして、ベースバンド処理カードから制御情報の設定要求に対する応答信号を受信すると（６−４）、ベースバンド処理カードの番号を検出し（６−５）、該応答信号のＣＲＣ符号のチェックを行い、そのチェック結果をＣＲＣ判定管理テーブルに送出する（６−６）。
【００５３】
呼処理カードはＣＲＣ判定管理テーブルに、ベースバンド処理カード毎に応答信号のチェック結果の正常受信回数（ＣＲＣ＿ＯＫ数）及び異常受信回数（ＣＲＣ＿ＮＧ数）を積算し、正常率（ＣＲＣ＿ＯＫ率）を算出して格納する（６−７）。そして、各ベースバンド処理カードの状態（正常、異常又は積算中）を判定する（６−８）。
【００５４】
そして、上記判定結果を基に被疑カードの判定を実施する（６−９）。被疑カードが特定されない場合は、応答信号（受信状態報告）の受信の処理フロー（６−３）に戻る。被疑カードが特定された場合は、該被疑カードが現用予備（Ｎ／Ｅ）構成か否かを判定する（６−１０）。
【００５５】
該被疑カードが現用予備（Ｎ／Ｅ）構成でない場合は、該被疑カード（状態異常カード）に対して警報表示（ＡＬＭ）制御を行う（６−１１）。該被疑カードが現用予備（Ｎ／Ｅ）構成の場合は、２枚実装されているか否かを判定し（６−１２）、２枚実装されていない場合は、何も処理を行わないＮＯＰ処理とし（６−１３）、障害ログに履歴を格納する（６−１４）。
【００５６】
２枚実装されている場合は、該被疑カード（状態異常カード）の現用予備（Ｎ／Ｅ）切替え又は警報表示（ＡＬＭ）制御を行う（６−１５）。そして、該被疑カードに対する応答信号の積算数をリセットし（６−１６）、応答信号（受信状態報告）の受信の処理フロー（６−３）に戻る。
【００５７】
図７に前述の処理フロー６−１６における積算数のリセットの処理フローを示す。積算数のリセットの指令を受け取ると、該リセットの指令が全カードに対する指令であるか、閾値αを越えたカードに対する指令であるかを判定する（７−１）。全カードに対する指令である場合は、全カードのＣＲＣ判定管理テーブルの積算数をリセットする（７−２）。閾値αを越えたカードに対する指令である場合には、閾値αを越えたカードのＣＲＣ判定管理テーブルの積算数をリセットする（７−３）。
【００５８】
図８はベースバンド処理カードの処理フローを示す。ベースバンド処理カードのソフトウェアが起動されると、呼処理カードから制御情報の設定要求が受信されるのを待ち受ける。該制御情報の設定要求が受信されると（８−１）、該制御情報を設定し（８−２）、該制御情報の設定結果を応答信号として呼処理カードに送信する（８−３）。
【００５９】
図９は異常カードにおける処理を示す。呼処理カードから異常カードに対して現用予備（Ｎ／Ｅ）切替え又は警報表示（ＡＬＭ）制御の指令が通知されると、異常カードは該指令に従い、現用予備（Ｎ／Ｅ）切替え又は警報表示（ＡＬＭ）制御を実施する。なお、異常カードは、ベースバンド処理カード、第１のベースバンド機能部の信号中継カード、第２のベースバンド機能部の信号中継カード、伝送路切替カード又は呼処理カードの何れかである。
【００６０】
異常カードは、現用予備（Ｎ／Ｅ）切替え又は警報表示（ＡＬＭ）制御を実施した後、監視制御カードに故障を通知し、監視制御カードは故障カードを上位オペレーションシステムに通知する。
【００６１】
以上説明したように開示の基地局装置の一形態は、呼処理制御カードとベースバンド処理カードとの間で送受される装置内信号の異常を呼処理制御カードで検出し、カード毎及びカードグループ毎（例えばシェルフ毎）の異常発生パターンから被疑カードを判定し、被疑カードの現用予備切替又は警報表示を行い、被疑カードの装置システムから切り離しを行う手段を備える。
【００６２】
また他の形態として、故障判定を行って被疑カードの現用予備切替を実施した後にも再判定を実施し、正常な場合は同様の故障判定処理を継続して実施し、依然として異常が検出される場合は他の被疑カードを特定して装置システムから切り離す手段を備える。
【００６３】
また他の形態として、被疑カードが冗長構成のカードであり、該冗長構成のカードが２枚とも故障と判定された場合には、システム停止を行って障害ログにその記録を残す。こうすることにより、遠隔から該障害ログを取得することができる。
【００６４】
被疑カードの特定については、ベースバンド処理カードから呼処理制御カードへの装置内信号数及び該装置内信号の異常検出数（例えばＣＲＣ＿ＮＧとなった数）を積算し、該装置内信号数が或る一定の積算数に満たないベースバンド処理カードに対しては判定を行わず、該装置内信号数が或る一定の積算数に達したベースバンド処理カードに対して該装置内信号の正常率（例えばＣＲＣ＿ＯＫ率）を算出し、該装置内信号の正常率の低いものを異常カードと特定する手段を備える。
【００６５】
この実施形態によれば、基地局装置において、従来、被疑箇所のカードの切り分けが困難であった装置内信号の伝送経路上のカードの間欠的な故障箇所の特定について、実際のサービスの実施に使用される装置内信号数の積算数とその異常発生率（例えばＣＲＣ＿ＮＧの発生率）の状況から、被疑箇所のカードを特定するため、実際のサービス品質と連関する間欠的な故障を精度よく検出することが可能となる。
【００６６】
また、装置内信号経路上のカードの故障を検出する際に、該装置内信号経路上に２箇所以上にカードが存在する場合でも、カード切替又は警報表示化して装置システムからの切り離しを行った後、再判定を実施してシステム復旧を確認することによって、故障の検出精度が向上し、システム復旧の時間短縮を図ることができる。
【符号の説明】
【００６７】
１０  第１のベースバンド機能部
１１  ベースバンド処理カード
１２  信号中継カード
２０  第２のベースバンド機能部
２１  ベースバンド処理カード
２２  信号中継カード
１００  制御系機能部
１０１  呼処理制御カード
１０２  伝送路切替カード
２００  監視制御カード
【図１】
2010213074.tif 000007
【図２】
2010213074.tif 000008
【図３】
2010213074.tif 000009
【図４】
2010213074.tif 000010
【図５】
2010213074.tif 000011
【図６】
2010213074.tif 000012
【図７】
2010213074.tif 000013
【図８】
2010213074.tif 000014
【図９】
2010213074.tif 000015